(57)【要約】【課題】温度変化に対する偏光プリズムの固定位置の安定性が良く、かつ偏光プリズムの取り外しが容易な光学ピックアップ装置を提供する。【解決手段】オプトベース８内に偏光プリズム４を収納し、第１のプリズム固定用バネ９および第２のプリズム固定用バネ１０により、偏光プリズム４を固定する。第１のプリズム固定用バネ９の上端の押圧片９４、９５が偏光プリズム４の側面の上端部から斜め下方向に押圧する。第２のプリズム固定用バネ１０は、第１のプリズム固定用バネ９が押圧する側面と直交する側面を押圧する。第１のプリズム固定用バネ９および第２のプリズム固定用バネ１０の弾力により偏光プリズム４を押圧しているので、温度変化があっても偏光プリズム４の固定位置が変化しない。第２のプリズム固定用バネ１０および第１のプリズム固定用バネ９を取り出し、偏光プリズム４を持ち上げることで、容易に取り外すことができる。【選択図】　図１
2004127402.tif 000002
【特許請求の範囲】
【請求項１】
オプトベースと、前記オプトベースに固定される偏光プリズムと、前記偏光プリズムを前記オプトベースに固定する第１のプリズム固定用バネと、前記偏光プリズムを前記オプトベースに固定する第２のプリズム固定用バネとを具備した光学ピックアップ装置であって、
前記オプトベースは前記偏光プリズムが収納される凹部を有し、前記凹部の一つの角の付近の深さ方向に前記第１のプリズム固定用バネの一つの外側側面が収納される溝が形成されており、前記第１のプリズム固定用バネの下部が収納される貫通穴が前記溝の付近より前記溝から遠ざかる方向に設けられており、
前記第１のプリズム固定用バネは前記偏光プリズムの側面上端から斜め下方へ押圧する押圧片を有し、前記第１のプリズム固定用バネは略コの字形であり、かつ時計回りに略９０度回転させた使用状態で上端となる位置に前記押圧片が設けられており、前記使用状態で下部となる位置に押し込み片が設けられており、
前記第２のプリズム固定用バネは、前記偏光プリズムの側面の内、前記第１のプリズム固定用バネが押圧する側面と直交する一つの側面を押圧する
ことを特徴とする光学ピックアップ装置。
【請求項２】
オプトベースと、前記オプトベースに固定される偏光プリズムと、前記偏光プリズムを前記オプトベースに固定する第１のプリズム固定用バネとを具備した光学ピックアップ装置であって、前記オプトベースは前記偏光プリズムが収納される凹部を具備し、前記第１のプリズム固定用バネは前記偏光プリズムの側面上端から斜め下方へ押圧する押圧片を有し、前記第１のプリズム固定用バネは略コの字形であり、かつ時計回りに略９０度回転させた使用状態で上端となる位置に前記押圧片が設けられていることを特徴とする光学ピックアップ装置。
【請求項３】
前記偏光プリズムの側面の内、前記第１のプリズム固定用バネが押圧する側面と直交する一つの側面を押圧する第２のプリズム固定用バネを具備することを特徴とする請求項２記載の光学ピックアップ装置。
【請求項４】
前記第１のプリズム固定用バネは、前記使用状態で下部となる位置に押し込み片が設けられていることを特徴とする請求項２記載の光学ピックアップ装置。
【請求項５】
前記凹部の一つの角の付近の深さ方向に溝が形成されており、前記第１のプリズム固定用バネの一つの外側側面が前記溝に収納されることを特徴とする請求項３記載の光学ピックアップ装置。
【請求項６】
前記第１のプリズム固定用バネの下部が収納される貫通穴が前記溝の付近より前記溝から遠ざかる方向に設けられていることを特徴とする請求項５記載の光学ピックアップ装置。
【発明の詳細な説明】
【０００１】
【発明の属する技術分野】
本発明は、光学記録再生装置の光学ピックアップ装置に関し、特に、偏光プリズムの着脱が容易であり、かつ温度変化に対する偏光プリズムの固定位置の安定性が良い光学ピックアップ装置に関する。
【０００２】
【従来の技術】
ＣＤプレーヤ、ＤＶＤレコーダなどの光学記録再生装置においては、光学ピックアップ装置をＣＤやＤＶＤなどの光ディスクに対向させ、光ディスクに対してデータの記録および／または再生を行う。
【０００３】
図５に従来の光学ピックアップ装置全体の概略構成を示す。この光学ピックアップ装置１は、発光素子２と、コリメートレンズ３と、偏光プリズム４と、アクチュエータ５と、コリメートレンズ６と、受光素子７とを備えている。そして、発光素子１から放射される光ビームはコリメートレンズ３により平行光線とされ、偏光プリズム４とアクチュエータ５を経て光学ディスクに集束する。また、光学ディスクで反射した光は、偏光プリズム４とコリメートレンズ６とを経て受光素子７に集束する。これにより、光ディスクに対して、データの記録および／または再生を行うことができる。
【０００４】
従来、このような光学ピックアップ装置において、偏光プリズム４を接着剤によりベース部材（図示せず）固定する構造になっていたため、接着後の温度変化による接着剤の硬化または軟化による収縮または膨張によって歪みが発生し、偏光プリズム４の反射面の姿勢が変化するおそれがあった。また、温度変化によって接着剤の接着力が変化したり、経年変化によって接着力が低下して、偏光プリズム４の取り付け状態が変化するおそれがあった。
【０００５】
そこで、このような問題点を解決するために、光学ディスクに対して接近および離反可能に支持されるスライドベースに薄肉部を設け、この薄肉部の一部を切り倒して押圧片を形成し、この押圧片で偏光プリズムを固定することにより、接着剤を使用しないで偏光プリズムを固定できるようにした光学ピックアップ装置が提案された（特許文献１参照）。
【０００６】
【特許文献１】
特開２０００−５７６１８号公報
【０００７】
上記特許文献１に開示された光学ピックアップ装置によれば、押圧片の押圧力が長期間の使用によって低下するおそれがないため、偏光プリズムの当初の取り付け状態を半永久的に維持することができるとされる（段落「００４０」）。
【０００８】
【発明が解決しようとする課題】
しかしながら、前記特許文献１に開示された光学ピックアップ装置において、温度変化により押圧片が収縮または膨張した場合、押圧片の押圧力が変化し、偏光プリズム４の取り付け状態が変化するおそれがあった。また、薄肉部の一部を切り倒して押圧片を形成し、固定しているため、固定した偏光プリズムを取り外すことは困難であった。
【０００９】
本発明は、このような問題点に鑑みてなされたものであり、温度変化に対する偏光プリズムの固定位置の安定性が高く、かつ偏光プリズムの取り外しが容易な光学ピックアップ装置を提供することを目的とする
【００１０】
【課題を解決するための手段】
本発明の請求項１に係る光学ピックアップ装置は、オプトベースと、前記オプトベースに固定される偏光プリズムと、前記偏光プリズムを前記オプトベースに固定する第１のプリズム固定用バネと、前記偏光プリズムを前記オプトベースに固定する第２のプリズム固定用バネとを具備した光学ピックアップ装置であって、前記オプトベースは前記偏光プリズムが収納される凹部を有し、前記凹部の一つの角の付近の深さ方向に前記第１のプリズム固定用バネの一つの外側側面が収納される溝が形成されており、前記第１のプリズム固定用バネの下部が収納される貫通穴が前記溝の付近より前記溝から遠ざかる方向に設けられており、前記第１のプリズム固定用バネは前記偏光プリズムの側面上端から斜め下方へ押圧する押圧片を有し、前記第１のプリズム固定用バネは略コの字形であり、かつ時計回りに略９０度回転させた使用状態で上端となる位置に前記押圧片が設けられており、前記使用状態で下部となる位置に押し込み片が設けられており、前記第２のプリズム固定用バネは、前記偏光プリズムの側面の内、前記第１のプリズム固定用バネが押圧する側面と直交する一つの側面を押圧することを特徴とすることを特徴とする。
【００１１】
この構成により、偏光プリズムを凹部に入れ、第１のプリズム固定用バネの押し込み片を用いて、第１のプリズム固定用バネの一つの外側側面を溝に収納し、かつ第１のプリズム固定用バネの下部を貫通孔に収納し、さらに第２のプリズム固定用バネが偏光プリズムの側面の内、第１のプリズム固定用バネが押圧する側面と直交する一つの側面を押圧するように第２のプリズム固定用バネを凹部に入れることで、第１のプリズム固定用バネの押圧片により偏光プリズムの側面上端から斜め下方へ弾力で押圧し、第２のプリズム固定用バネにより、前記偏光プリズムの側面の内、前記第１のプリズム固定用バネが押圧する側面と直交する一つの側面を弾力で押圧し、偏光プリズムを固定することができる。また、第１のプリズム固定用バネおよび第２のプリズム固定用バネの弾力により偏光プリズムを押圧しているため、温度変化があっても固定位置が変化することはない。そして、第２のプリズム固定用バネおよび第１のプリズム固定用バネを取り出し、偏光プリズムを持ち上げることで、偏光プリズムを取り外すことができる。
【００１２】
本発明の請求項２に係る光学ピックアップ装置は、オプトベースと、前記オプトベースに固定される偏光プリズムと、前記偏光プリズムを前記オプトベースに固定する第１のプリズム固定用バネとを具備した光学ピックアップ装置であって、前記オプトベースは前記偏光プリズムが収納される凹部を具備し、前記第１のプリズム固定用バネは前記偏光プリズムの側面上端から斜め下方へ押圧する押圧片を有し、前記第１のプリズム固定用バネは略コの字形であり、かつ時計回りに略９０度回転させた使用状態で上端となる位置に前記押圧片が設けられていることを特徴とすることを特徴とする。
【００１３】
この構成により、第１のプリズム固定用バネの上端となる位置に設けられた押圧片により偏光プリズムの側面上端から斜め下方へ弾力で押圧し、偏光プリズムを固定することができる。また、第１のプリズム固定用バネの弾力により偏光プリズムを押圧しているため、温度変化があっても、偏光プリズムをの固定位置が変化することはない。
【００１４】
本発明の請求項３に係る光学ピックアップ装置は、本発明の請求項２に係る光学ピックアップ装置において、偏光プリズムの側面の内、第１のプリズム固定用バネが押圧する側面と直交する一つの側面を押圧する第２のプリズム固定用バネを具備することを特徴とする。
【００１５】
この構成により、第１のプリズム固定用バネの押圧片により偏光プリズムの側面上端から斜め下方へ弾力で押圧し、第２のプリズム固定用バネにより、前記偏光プリズムの側面の内、前記第１のプリズム固定用バネが押圧する側面と直交する一つの側面を弾力で押圧し、偏光プリズムを固定することができる。また、第１のプリズム固定用バネおよび第２のプリズム固定用バネの弾力により偏光プリズムを押圧しているため、温度変化があっても偏光プリズムの固定位置が変化することはない。
【００１６】
本発明の請求項４に係る光学ピックアップ装置は、本発明の請求項２に係る光学ピックアップ装置において、前記第１のプリズム固定用バネは、前記使用状態で下部となる位置に押し込み片が設けられていることを特徴とする。
【００１７】
この構成により、押し込み片を用いて第１のプリズム固定用バネを凹部内の下方に押し込むことにより、第１のプリズム固定用バネの押圧片により偏光プリズムの側面上端から斜め下方へ弾力で押圧し、偏光プリズムを固定することができる。また、第１のプリズム固定用バネおよび第２のプリズム固定用バネの弾力により偏光プリズムを押圧しているため、温度変化があっても偏光プリズムの固定位置が変化することはない。
【００１８】
本発明の請求項５に係る光学ピックアップ装置は、本発明の請求項３記載の光学ピックアップ装置において、前記凹部の一つの角の付近の深さ方向に溝が形成されており、前記第１のプリズム固定用バネの一つの外側側面が前記溝に収納されることを特徴とする。
【００１９】
この構成により、偏光プリズムを凹部に入れ、第１のプリズム固定用バネの押し込み片を用いて、第１のプリズム固定用バネの一つの外側側面を溝に収納することで、第１のプリズム固定用バネの押圧片により偏光プリズムの側面上端から斜め下方へ弾力で押圧し、偏光プリズムを固定することができる。また、第１のプリズム固定用バネの弾力により偏光プリズムを押圧しているため、温度変化があっても固定位置が変化することはない。そして、第１のプリズム固定用バネを取り出し、偏光プリズムを持ち上げることで、偏光プリズムを容易に取り外すことができる。
【００２０】
本発明の請求項６に係る光学ピックアップ装置は、本発明の請求項５記載の光学ピックアップ装置において、前記第１のプリズム固定用バネの下部が収納される貫通穴が前記溝の付近より前記溝から遠ざかる方向に設けられていることを特徴とする。
【００２１】
この構成により、偏光プリズムを凹部に入れ、第１のプリズム固定用バネの押し込み片を用いて、第１のプリズム固定用バネの一つの外側側面を溝に収納し、かつ第１のプリズム固定用バネの下部を貫通孔に収納することで、第１のプリズム固定用バネの押圧片により偏光プリズムの側面上端から斜め下方へ弾力で押圧し、偏光プリズムを固定することができる。また、第１のプリズム固定用バネの弾力により偏光プリズムを押圧しているため、温度変化があっても固定位置が変化することはない。そして、第１のプリズム固定用バネを取り出し、偏光プリズムを持ち上げることで、偏光プリズムを容易に取り外すことができる。
【００２２】
【発明の実施の形態】
以下、本発明の実施の形態について図面を参照しながら詳細に説明する。
図１は本発明の実施の形態の光学ピックアップ装置における偏光プリズムおよびその偏光プリズムを取り付けるための部材を示す分解斜視図であり、図２は図１におけるオプトベースの平面図である。これらの図において、図５の構成要素と同一または対応する構成要素には、図５で使用した符号を付した。そして、本発明の実施の形態の光学ピックアップ装置全体の概略構成は図５に示した従来装置と同じであるため、図示および説明を省略する。
【００２３】
図１において、偏光プリズム４はオプトベース８に載置され、第１のプリズム固定用バネ９および第２のプリズム固定用バネ１０により固定される。なお、ここでは、偏光プリズム４が６ｍｍ×６ｍｍの立方体の場合を例に説明する。
オプトベース８はアルミニウムなどの金属で構成されている。オプトベース８は略直方体の本体を有し、その上面に凹部８１が形成されている。凹部８１は上方から見た形状（以下、上面形状という）が矩形であり、その一つの隅から中央部にわたってプリズム載置部８２が設けられている。プリズム載置部８２は、凹部８１の底面をさらに深くして上面形状が略矩形の凹部を形成したものである。プリズム載置部８２の中央部には、偏光プリズム４の底面を載せるための載置面８２１が設けられている（図１では省略）。載置面８２１は、上面形状が略正方形であり、プリズム載置部８２よりも僅かに高く形成されている。上面形状が略矩形のプリズム載置部８２の四つの角の内、凹部８１の垂直面である凹部側壁８１４の付近には断面形状（上面形状）が略半円形の溝８３が凹部８１の深さ方向に形成されている。また、溝８３から僅かに凹部側壁８１４　に寄った位置より溝８３から遠ざかる方向に、凹部側壁８１４と平行で上面形状が長方形の貫通孔８４が載置部の側壁８２４の付近まで設けられている。貫通孔８４は、凹部８１の底面からオプトベース８の底面まで貫通している。凹部側壁８１１、８１２、および８１４と、オプトベース８の外部側面との間には光路用貫通孔８５、８６、８７が形成されている。
【００２４】
第１のプリズム固定用バネ９は厚さが０．２ｍｍのステンレスなどの金属で構成されている。第１のプリズム固定用バネ９は略コの字形であり、使用時にはコの字を時計回りに略９０度回転させた状態にされる。この使用時の状態で下部の水平方向に延びる水平片９１の両端から上方に垂直片９２、９３が延設されている。そして、垂直片９２、９３の上端付近を折り曲げることで一対の押圧片９４、９５が形成されている。ここで、押圧片９４、９５の幅を垂直片９２、９３の幅よりも広くして、偏光プリズム４を押圧するときの安定を良くしている。水平片９１の中央部上端には、この第１のプリズム固定用バネ９を溝８３および貫通孔８４に押し込むための押し込み片９６が設けられている。そして、水平片９１の両端の上部には、この第１のプリズム固定用バネ９が貫通孔８４から抜けないようにするための一対の抜け止め片９８、９９が設けられている。
【００２５】
第２のプリズム固定用バネ１０は厚さが０．２ｍｍのステンレスなどの金属を略Ｊ字形に折り曲げたものである。ここでＪの字の幅は略２ｍｍである。なお、第２のプリズム固定用バネ１０をＵ字形に形成しても良い。
【００２６】
図３は偏光プリズム１がオプトベース２に固定されている状態を示す平面図、図４は図３におけるＡ−Ａ断面図である。以下、図１乃至図４を用いて偏光プリズム４をオプトベース８に固定する方法を説明する。
【００２７】
まず、偏光プリズム４をオプトベース８のプリズム載置部８２の上に置き、第１のプリズム固定用バネ９をオプトベース８の下方に押し込み、水平片９１が貫通孔８４に入り、垂直片９２の外側の縁が溝８３に収納される状態にする。図４はこの状態の断面を示している。この時点で偏光プリズム４はオプトベース８にほぼ固定されるが、さらに固定を確実にするために、第２のプリズム固定用バネ１０を偏光プリズム４の側面と載置部側壁８２４との間に押し込む。この時点では、図３および図４に示すように、第１のプリズム固定用バネ９の押圧片９４、９５が偏光プリズム４の角を斜め下方（図４の矢印の方向）へ押圧するため、偏光プリズム４の側面４１がプリズム載置部８２の載置部側壁８２３　に正確に位置決めされ固定される。また、偏光プリズム４の側面４１と直交する側面４２は第２のプリズム固定用バネ１０によりプリズム載置部８２の載置部側壁８２２に正確に位置決めされ固定される。そして、偏光プリズム４の底面は載置面８２１に正確に位置決めされる。さらに、図４に示すように、光路用貫通孔８７の下に貫通孔８４に対する庇８２６が形成されており、抜け止め片９８、９９の上端がその庇８２６に当接することで第１のプリズム固定用バネ９の抜けが防止される。
【００２８】
このように偏光プリズム４がオプトベース８に固定された状態において、発光素子２から放射され、偏光プリズム４を通ってアクチュエータ５に向かう光線、アクチュエータ５から偏光プリズム４を通ってコリメートレンズ６に向かう光線は、オプトベース８の側面に形成された光路用貫通孔８５、８６、８７をから偏光プリズム４に出入りする。ここで第１のプリズム固定用バネ９は、光路を遮らないように、コの字形に形成され、中央部が大きくえぐられている。
【００２９】
偏光プリズム４は第１のプリズム固定用バネ９および第２のプリズム固定用バネ１０の弾力で押圧されているため、温度変化によりバネの寸法が変化したとしても、偏光プリズム４の位置は変化しない。特に、第１のプリズム固定用バネ９および第２のプリズム固定用バネ１０の材料であるステンレスなどの金属は、プラスチックと比較すると熱膨張率が小さく、また弾性の変化も少なく、かつ薄くできるため、狭い場所に押し込むバネの材料として好適である。
【００３０】
偏光プリズム４をオプトベース８から取り外すときは、まず第２のプリズム固定用バネ９を取り出す。次に、貫通孔８４の下方から第１のプリズム固定用バネ９の抜け止め片９８、９９を図４の左方向へ押したまま第１のプリズム固定用バネ９を上方へ引き出す。次に偏光プリズム４を持ち上げて載置部８２から取り出す。
【００３１】
このように、本発明の実施の形態によれば、バネの弾力により偏光プリズムを押圧し固定しているので、温度変化によりバネの寸法が変化したとしても、偏光プリズム４の位置は変化しない。また、金属製のバネを用いているので、プラスチックのバネよりも温度変化に対して安定であり、狭い場所に押し込めるように薄くすることが容易である。さらに、第１のプリズム固定用バネ９により偏光プリズム４の側面の上端から斜め下方へ押圧し、第２のプリズム固定用バネ１０により、偏光プリズム４の側面の内、第１のプリズム固定用バネ９が押圧する側面と直交する側面を押圧するので、偏光プリズム４は互いに直交する３方向（縦・横・高さ方向）に押圧されることになり、振動等の機械的衝撃に対する安定性が高い。そして、第１のプリズム固定用バネ９の押圧片９４、９５は幅広に構成されているため、偏光プリズム４を押圧するときの安定が良い。また、第１のプリズム固定用バネ９の下部中央に押し込み片９６を設けたので、第１のプリズム固定用バネ９を容易に押し込むことができる。さらに、第１のプリズム固定用バネ９に一対の抜け止め片９８、９９を設けたので、第１のプリズム固定用バネ９が貫通孔８４から抜けないようにすることができ、また抜け止め片９８、９９を垂直片９２、９３の方向へ押すことにより抜け止めを解除し、第１のプリズム固定用バネ９を貫通孔８４から容易に外すことができる。
【００３２】
【発明の効果】
以上詳細に説明したように、本発明の請求項１に係る光学ピックアップ装置によれば、第１のプリズム固定用バネおよび第２のプリズム固定用バネの弾力により偏光プリズムを押圧しているので、温度変化があっても偏光プリズムの固定位置が変化することはない。また、第２のプリズム固定用バネおよび第１のプリズム固定用バネを取り出し、偏光プリズムを持ち上げることで、偏光プリズムを容易に取り外すことができる。
【００３３】
また、本発明の請求項２に係る光学ピックアップ装置によれば、第１のプリズム固定用バネの弾力により偏光プリズムを押圧しているため、温度変化があっても偏光プリズムの固定位置が変化することはない。
【００３４】
さらに、本発明の請求項３に係る光学ピックアップ装置によれば、第１のプリズム固定用バネおよび第２のプリズム固定用バネの弾力により偏光プリズムを押圧しているため、温度変化があっても偏光プリズムの固定位置が変化することはない。
【００３５】
そして、本発明の請求項４に係る光学ピックアップ装置によれば、第１のプリズム固定用バネの押し込み片を用いて第１のプリズム固定用バネを押し込み、偏光プリズムを容易に固定することができる。また、第１のプリズム固定用バネの弾力により偏光プリズムを押圧しているため、温度変化があっても、偏光プリズムの固定位置が変化することはない。
【００３６】
また、本発明の請求項５に係る光学ピックアップ装置によれば、第１のプリズム固定用バネの押し込み片を用いて、第１のプリズム固定用バネの一つの外側側面が溝に収納されるように第１のプリズム固定用バネを押し込み、偏光プリズムを容易に固定することができる。また、第１のプリズム固定用バネの弾力により偏光プリズムを押圧しているため、温度変化があっても固定位置が変化することはない。そして、第１のプリズム固定用バネを取り出し、偏光プリズムを持ち上げることで、偏光プリズムを容易に取り外すことができる。
【００３７】
さらに、本発明の請求項６に係る光学ピックアップ装置によれば、偏光プリズムを凹部に入れ、第１のプリズム固定用バネの押し込み片を用いて、第１のプリズム固定用バネの一つの外側側面を溝に収納し、かつ第１のプリズム固定用バネの下部を貫通孔に収納することで、偏光プリズムを固定することができる。また、第１のプリズム固定用バネの弾力により偏光プリズムを押圧しているため、温度変化があっても固定位置が変化することはない。そして、第１のプリズム固定用バネを取り出し、偏光プリズムを持ち上げることで、偏光プリズムを容易に取り外すことができる。
【図面の簡単な説明】
【図１】本発明の実施の形態の光学ピックアップ装置における偏光プリズムおよびその偏光プリズムを取り付けるための部材を示す分解斜視図である。
【図２】図１におけるオプトベースの平面図である。
【図３】偏光プリズムがオプトベースに固定されている状態を示す平面図である。
【図４】図３におけるＡ−Ａ断面図である。
【図５】従来の光学ピックアップ装置全体の概略構成を示す図である。
【符号の説明】
１　光学ピックアップ装置
４　偏光プリズム
８　オプトベース
９　第１のプリズム固定用バネ
１０　第２のプリズム固定用バネ
８１　凹部
８３　溝
８４　貫通孔
９４、９５　押圧片
９６　押し込み片
【図１】
2004127402.tif 000003
【図２】
2004127402.tif 000004
【図３】
2004127402.tif 000005
【図４】
2004127402.tif 000006
【図５】
2004127402.tif 000007